(57)【要約】【課題】低コストで軽量化を実現可能な椅子式施療装置の提供。【解決手段】  シートバック２に上下方向に延びる一対のガイドロッド１１を設け、各ガイドロッド１１に上下動可能な施療ユニット８を装着し、施療ユニット８に、シートバッグ２に支持される人体の背中を揉むための一対のエアーバッグ２０及び施療子２３と、一対のエアーバッグ２０へのエアー供給とエアー排出を行うためのエアーポンプ１８及びエアーチューブ１９と、施療ユニット８をガイドロッド１１の軸方向に移動させるローラ１４及びモーター１６Ｒ、１６Ｌとを組み込んで、施療ユニット８を上下動させて人体各部の施療箇所を変更できるようにした。【選択図】  図１
2005204710.tif 000002
【特許請求の範囲】
【請求項１】
シートバックにガイド機構を設け、該ガイド機構に沿って移動可能な移動装置を装着し、該移動装置に、前記シートバッグに支持される人体の背中を揉むための施療装置と該施療装置にエアーの供給排出を行うエアー供給装置とを備えた施療ユニットを、組み込んだことを特徴とするエアー式施療装置。
【発明の詳細な説明】
【技術分野】
【０００１】
本発明は、シートバッグ上に支持された人体の背中等のマッサージを行う施療装置に関する。
【背景技術】
【０００２】
従来の施療装置としては、使用者の肩部に効果的な押圧を行うことが出来る椅子式エアマッサージ装置が開示されている。この椅子式マッサージ装置は、椅子式エアマッサージ装置のシートバッグに複数個のエアーバッグを取り付け、この複数個のエアーバッグに対してエアをエア給排気装置により給排気することにより、複数個のエアーバッグを個別に膨張・収縮させてマッサージを行なうものであって、着座状態の人体の肩部に上方から当接する肩部当接部を有し、肩部当接部の肩部当接面に、エアーバッグが設けられているものである。
【特許文献１】特開平７−１４８２１１号公報
【発明の開示】
【発明が解決しようとする課題】
【０００３】
しかし、かかる椅子式マッサージ装置では、シートバッグに複数のエアーバッグを設置し、この複数のエアーバッグ毎にエアホースを接続する必要があり、装置全体が複雑となり、どのエアーバッグに空気を供給するかを制御するためにロータリーバルブが必要となり、部品点数が多いために、組み立て工数が多くなったり、重量が増大すると共に、装置が高価になるなどの不利な点があった。
【０００４】
本発明は、このような問題点に着目してなされたものであり、シートバックにおけるエアーバッグ、及び、エアーバッグの膨張・収縮を行うエアー供給装置などを極力小規模にして軽量化・低コスト化を促進することを目的とする。
【課題を解決するための手段】
【０００５】
上記課題を解決するために、本願のエアー式施療装置は、シートバックにガイド機構を設け、該ガイド機構に沿って移動可能な移動装置を装着し、該移動装置に、前記シートバックに支持される人体の背中を揉むためのエアーバッグと、該エアーバッグへのエアー供給とエアー排出とを行うためのエアー供給装置とを備えた施療ユニットを、組み込んだことを特徴とする。
【発明の効果】
【０００６】
本願発明によれば、シートバックに、施療箇所毎にエアーバッグを設置する必要が無く、エアーバッグ毎のエアーホースの接続或いはエアーの供給・排出流路を切り換えるエアーバルブやその取付けといった作業が極力少なくなり、構造が簡略化されると共に、軽量化が促進され、低コストなものとなる。
【発明を実施するための最良の形態】
【０００７】
以下、本発明を実施するための最良の形態を実施例に基づいて説明する。
【実施例】
【０００８】
図１は、本発明の実施の形態にかかるエアー式施療装置としての椅子式施療装置のシートバック背面の構成を示し、図２は、椅子式施療装置の施療ユニットの構成を示す。図３は実施の形態にかかる椅子式施療装置の斜視図である。
【０００９】
符号１は椅子式施療装置であり、椅子式施療装置１は、人体の背面部を主として支持するシートバック２と、人体の腰部及び臀部並びに大腿部を支えるシート３と、人体の脹ら脛を支えるオットマン４と、アームレスト５と、椅子式施療装置１の施療状態を操作するリモートコントローラ６を有する。
【００１０】
シートバック２はシート３に対して傾斜角度を上下方向に変更調節可能とされている。シートバック２の人体の背面部に当接するシート２Ａの内側には、フレーム７（図１参照）が設けられており、フレーム７の内側に施療ユニット８の配設用の開口部７Ａが形成されている。フレーム７の開口部７Ａの上下縁部には支持板９、１０が取り付けられており、上下の支持板９、１０の間に一対のガイドロッド１１が固定されている。
【００１１】
施療ユニット８は、一対のガイドロッド１１（ガイド機構）を挟むように配置される取付板１２、１３を備えている。取付板１２，１３は、図２に示すように、ボルト１２Ａとナット１３Ａによって間隔をあけて設置されており、取付板１２，１３の間に、移動装置としての一対のローラ１４を備えている。一対のローラ１４は、取付板１３の後方面に固定されたモーター１６Ｒ、１６Ｌの回転軸１５に回り止めされて固定されている。
【００１２】
ローラ１４は、ガイドロッド１１と接触して滑らないように硬質の合成ゴム等で形成されており、ローラ１４のガイドロッド１１に接触する外周面は、ガイドロッド１１の円形外周面に一致するように窪んでいる。一対のローラ１４は一対のガイドロッド１１を内側から外側に押圧するように付勢しており、一対のローラ１４の回転によって一対の取付板１２，１３が上下に移動可能とされている。
【００１３】
移動装置の一部を構成するモーター１６Ｒ、１６Ｌは、取付板１３の後方面に固定されており、制御回路１７からの制御信号によってモーター１６Ｒ、１６Ｌを回転させる。モーター１６Ｒ、１６Ｌの回転方向は、施療ユニット８を上下動させる際に互いに逆方向に回転するのは言うまでもない。モーター１６Ｒ、１６Ｌへの駆動電流を供給する電線は、シート３の内側から支持板１０の図示しない通し穴を通ってモーター１６Ｒ、１６Ｌに接続され、モーター１６Ｒ、１６Ｌの間の制御回路１７に接続されている。モーター１６Ｒ、１６Ｌの回転方向は、制御回路１７により変更される。
【００１４】
取付板１２の取付板１３側の面には、エアー供給装置としてのエアーポンプ１８とエアーチューブ１９とが取り付けられている。エアーポンプ１８は、制御回路１７により電力が供給制御され、エアーバッグ２０にエアーを供給し、若しくは、エアーバッグ２０からエアーを排出する。
【００１５】
エアーポンプ１８とエアーバッグ２０とは、エアーチューブ１９よって接続されている。エアーバッグ２０は取付板１２の前面側に取り付けられている。エアーバッグ２０は、揺動板２２と取付板１２との間に設置されており、エアーポンプ１８からのエアーの供給と排気の制御を受けて膨張又は収縮を繰り返す。左右のエアーバッグ２０は、制御回路１７によるエアーポンプ１８の制御により、同時に膨張若しくは収縮することも可能であり、一方が膨張するときに他方が収縮することも可能である。
【００１６】
揺動板２２には人体の背中に接触する施療子２３が取り付けられている。施療子２３はプラスチック等で構成されるものであり、揺動板２２の揺動によりシートバック７の表皮シートを介して人体をマッサージする。
【００１７】
以上説明したように、この実施例にかかる椅子式施療装置１は、シートバック２に上下方向に延びる一対のガイドロッド１１を設け、各ガイドロッド１１に上下動可能な施療ユニット８を装着し、施療ユニット８に、シートバッグ２に支持される人体の背中を揉むための一対のエアーバッグ２０及び施療子２３と、一対のエアーバッグ２０へのエアー供給とエアー排出を行うためのエアーポンプ１８及びエアーチューブ１９と、施療ユニット８をガイドロッド１１の軸方向に移動させるローラ１４及びモーター１６Ｒ、１６Ｌとを組み込んで、施療ユニット８を上下動させて人体各部の施療箇所を変更できるようにしたので、シートバック２の各所に３以上のエアーバッグ２０やエアーポンプ１８を２以上設置する必要が無く、低コストで軽量化を計ることができる。
【産業上の利用可能性】
【００１８】
本発明の椅子式施療装置は、シートバックを有する椅子式施療装置において、人体の背中を揉みほぐす施療手段の構成を簡略化し、軽量化と低コスト化を促進できるものである。
【図面の簡単な説明】
【００１９】
【図１】本発明の実施の形態にかかる椅子式施療装置のシートバック背面の構成を示す図である。
【図２】本発明の実施の形態にかかる椅子式施療装置の施療ユニットの構成を示す図である。
【図３】本発明の実施の形態にかかる椅子式施療装置の斜視図である。
【符号の説明】
【００２０】
１  椅子式施療装置
２  シートバック
８  施療ユニット
１１  ガイドロッド
１４  ローラ（移動装置）
１６Ｒ、１６Ｌ  モーター（移動装置）
１８  エアーポンプ（エアー供給装置）
１９  エアーチューブ（エアー供給装置）
２０  エアーバッグ（施療装置）
２２  揺動板（施療装置）
２３  施療子（施療装置）
【図１】
2005204710.tif 000003
【図２】
2005204710.tif 000004
【図３】
2005204710.tif 000005